(57)【要約】【課題】下地に固定しない施工方式であっても、床材本体に寸法変化が生じても床全体として収縮するおそれのない床材を提供することにある。【解決手段】雇い実２０は、隣接する床材本体１０、１０間に架け渡すようにして配される連結部２１を有し、連結部２１の両端のそれぞれには、連結部２１の厚さ寸法よりも大きい寸法の係合部２２が一体化された構成とされており、床材本体１０の辺縁部の側端面１１には、雇い実２０の一部が埋設される凹溝１２が形成され、凹溝１２の奥部１０ｂには係合部２２と係合する係合凹部１３が形成されており、雇い実２０の連結部２１は、係合部２２、２２間を結ぶ方向に沿って伸長することが可能な材料で形成されている。【選択図】図１
2018071065.tif 000002
【特許請求の範囲】
【請求項１】
床材本体と、該床材本体の辺縁部に取り付けられる雇い実とを有し、該床材本体と、該床材本体に隣接される床材本体とを前記雇い実で連結するようにした、下地に固定しない施工方式の床材において、
前記雇い実は、隣接する床材本体間に架け渡すようにして配される連結部を有し、該連結部の両端のそれぞれには、前記連結部の厚さ寸法よりも大きい寸法の係合部が一体化された構成とされており、
前記床材本体の辺縁部の側端面には、前記雇い実の一部が埋設される凹溝が形成され、該凹溝の奥部には前記係合部と係合する係合凹部が形成されており、
前記雇い実の前記連結部は、前記係合部間を結ぶ方向に沿って伸長することが可能な材料で形成されていることを特徴とする床材。
【請求項２】
請求項１において、
前記係合部は硬質樹脂材で形成され、前記連結部は軟質樹脂材で形成されている、床材。
【発明の詳細な説明】
【技術分野】
【０００１】
本発明は、床材本体間を雇い実で連結して、下地に固定しないように施工される床材に関する。
【背景技術】
【０００２】
従来、下地に固定しない施工方式の床材として、雇い実を用いた床材が種々提案されている（たとえば、特許文献１参照）。同文献の雇い実は、両端部の厚さ方向の寸法が中央の連結部よりも大きく、凹溝内にしっかりと嵌合する構成となっている。
【０００３】
また、両端部の厚さ方向の寸法を連結部より大きくして係合部が形成され、かつ凹溝の奥部に係合部を係合する係合凹部が形成されるようにすれば、床材本体、雇い実、床材本体の三者の関係はさらに強固になる。そのため、床材本体に寸法変化が生じても、床材本体間に隙間が生じるおそれはほとんどない。
【先行技術文献】
【特許文献】
【０００４】
【特許文献１】特開２００７−８５１０４号公報
【発明の概要】
【発明が解決しようとする課題】
【０００５】
しかしながら、上記床材によれば、床材間に隙間が生じなくとも床面全体としては収縮するため、たとえば床材施工面の端部に大きな隙間空間ができるなど、著しく美観を損なうおそれがあった。
【０００６】
本発明は、このような事情を考慮して提案されたもので、その目的は、下地に固定しない施工方式であっても、床材本体に寸法変化が生じても床全体として収縮するおそれのない床材を提供することにある。
【課題を解決するための手段】
【０００７】
上記目的を達成するため、本発明の床材は、床材本体と、該床材本体の辺縁部に取り付けられる雇い実とを有し、該床材本体と、該床材本体に隣接される床材本体とを前記雇い実で連結するようにした、下地に固定しない施工方式の床材において、前記雇い実は、隣接する床材本体間に架け渡すようにして配される連結部を有し、該連結部の両端のそれぞれには、前記連結部の厚さ寸法よりも大きい寸法の係合部が一体化された構成とされており、前記床材本体の辺縁部の側端面には、前記雇い実の一部が埋設される凹溝が形成され、該凹溝の奥部には前記係合部と係合する係合凹部が形成されており、前記雇い実の前記連結部は、前記係合部間を結ぶ方向に沿って伸長することが可能な材料で形成されていることを特徴とする。
【発明の効果】
【０００８】
本発明に係る床材によれば、上述の構成となっているため、床材本体に寸法変化が生じても床全体として収縮することを回避することができる。
【図面の簡単な説明】
【０００９】
【図１】（ａ）は本発明の一実施形態に係る床材を模式的に示した概略平面図、（ｂ）は同概略要部拡大縦断面図である。
【図２】（ａ）（ｂ）は、本発明の一実施形態に係る床材の２態様を模式的に示した概略縦断面図である。
【発明を実施するための形態】
【００１０】
以下に、本発明の実施の形態について、図１および図２をもとに説明する。図１（ａ）（ｂ）は、下地上で隣接する床材どうしの連結施工態様を示した概略平面図と概略要部拡大縦断面図である。図２（ａ）（ｂ）は、施工後の床材どうしの連結状態の２態様を示した概略要部拡大縦断面図である。
【００１１】
本床材１は、床材本体１０と、床材本体１０の辺縁部に取り付けられる雇い実２０とを有し、床材本体１０と、床材本体１０に隣接される床材本体１０とを雇い実２０で連結するようにした、下地３に固定しない施工方式のものである。
【００１２】
雇い実２０は、隣接する床材本体１０、１０間に架け渡すようにして配される連結部２１を有し、連結部２１の両端のそれぞれには、連結部２１の厚さ寸法よりも大きい寸法の係合部２２が一体化された構成とされている。また、床材本体１０の辺縁部の側端面１１には、雇い実２０の一部が埋設される凹溝１２が形成され、凹溝１２の奥部１２ｂには係合部２２と係合する係合凹部１３が形成されている。この雇い実２０の連結部２１は、係合部２２、２２間を結ぶ方向に沿って伸長することが可能な材料で形成されている。
【００１３】
以下、詳細に説明する。
【００１４】
床材本体１０は基材１０ａの表面に表面化粧材１０ｂを積層した構成となっている。基材１０ａとしては、木質系材料や合成樹脂系材料などの種々の材料を用いることができる。たとえば、基材１０ａをパーティクルボードなどの木質ボード、木質繊維板などの木質系ボードから形成されたものとしてもよい。また、表面化粧材１０ｂとしては、突板単板や合成樹脂シートなどを用いることができる。
【００１５】
図１（ａ）に示すように、床材本体１０の短辺の両辺縁部側に雇い実２０が配されるようになっており、図１（ｂ）に示すように、その辺縁部の側端面１１には雇い実２０が嵌着される凹溝１２が形成されている。
【００１６】
凹溝１２は入り口部１２ａと奥部１２ｂとでは厚さ方向の寸法が異なる。奥部１２ｂは入り口部１２ａにくらべて底面が低く、天井面が高く形成されている。この奥部１２ｂは雇い実２０の係合部２２と係合する係合凹部１３を構成している。両辺縁部の凹溝１２は対称形状とされる。
【００１７】
一方、雇い実２０は図１（ａ）に示すように、縦断面がバーベル形状となっている。両端部には上述したように係合部２２、２２が配されている。この係合部２２の素材は硬質な材料とされ、たとえば木質材、硬質樹脂材、金属材などが用いられる。係合部２２、２２間の連結部２１は、柔軟性のある素材、たとえばゴム、軟質樹脂材などのヤング率の小さい素材を用いることが望ましい。特に、横方向（係合部２２、２２間を結ぶ方向）、つまり床材１を設置する下地３の面に略平行な方向に伸長することが可能な素材が望ましい。したがって、一方向にしか伸長しない素材であっても、その方向を係合部２２、２２間を結ぶ方向に合致するように連結部２１として配すればよい。
【００１８】
たとえば、両係合部２２、２２を硬質樹脂材とし、連結部２１を軟質樹脂材とするように２色成形により雇い実２０を形成すればよい。このようにすれば、係合部２２、２２、連結部２１一体の雇い実２０の製造を簡単に実施できる。
【００１９】
この雇い実２０の左右約半分つまり一方の係合部２２と連結部２１の約半分が、床材本体１０の凹溝１２に嵌着、埋設される。雇い実２０の床材本体１０への嵌着はスライド装着にて行えばよい。たとえば、図１（ａ）（ｂ）に示すように、床材本体１０の右側の辺縁部に雇い実２０を取りつけた床材１を準備し、それらを左側より順に下地３上に設置していけばよい。設置は、既設の床材１の突出した雇い実２０の右半分に、新設の床材１をスライドするようにして行えばよい。
【００２０】
床材１の下地３への設置には、接着剤や釘などの固定部材は用いない。よって、床材本体１０に辺縁部間の伸長、収縮などの寸法変化が生じた場合に、床材本体１０が下地３上でわずかに移動する可能性がある。
【００２１】
図２（ａ）のように床材１、１間に隙間がないように施工した後、床材本体１０に収縮が起きた場合、それにともなって雇い実２０の連結部２１が伸長するため、隣接の床材１へのずれの影響はあまりない。
【００２２】
より具体的には、図２（ａ）のように施工した後、左側の床材本体１０が矢印方向に収縮した場合、それに連動するように雇い実２０が左へ移動しようとする。その雇い実２０の右側には他の床材本体１０が連結されており、その床材本体１０も左へ移動しようとするが、その前に、伸長しやすい連結部２１が伸長する。このように連結部２１が伸びるため、右側の床材本体１０は左側の床材本体１０のずれ動きへの連動はあまりない。つまり、床材１、１間での寸法変化による相互の影響は雇い実２０によって阻止される。なお、その結果、図２（ｂ）のように床材１、１間に隙間Ｓが生じることもある。
【００２３】
したがって、床材１、１間にわずかな隙間Ｓが生じるものの、床面全体（床材１を施工した全面）としての収縮を抑えることができる。ようするに、このような床材１を施工すれば、床面全体における端部から他の端部までの寸法が小さくなることを防止でき、端部の外側に下地３が露出するような大きな隙間空間が表れるなど、美観を損なうことを回避することができる。
【００２４】
以上には雇い実２０を短辺の辺縁部に配する例を説明したが、長辺の辺縁部に配すようにしてもよい。
【符号の説明】
【００２５】
１          床材
３          下地
１０        床材本体
１１        側端面
１２        凹溝
１２ｂ      奥部
１３        係合凹部
２０        雇い実
２１        連結部
２２        係合部
【図１】
2018071065.tif 000003
【図２】
2018071065.tif 000004